【手続補正書】
【提出日】平成19年4月3日(2007.4.3)
【手続補正１】
【補正対象書類名】明細書
【補正対象項目名】特許請求の範囲
【補正方法】変更
【補正の内容】
【特許請求の範囲】
【請求項１】  
利用者の取引金融機関における利用者を特定可能な情報或いは利用者の取引金融機関における口座を特定可能な情報の少なくとも一方が該利用者が所持する情報端末を識別可能な識別情報に対応付けて登録された記憶手段と、
前記利用者が所持する情報端末とデータ授受可能な接続端末とのデータ通信を行う第１の通信手段と、前記利用者の取引金融機関における利用者を特定可能な情報或いは利用者の取引金融機関における口座を特定可能な情報の受信に基づき料金の決済を行う決済機関の決済用コンピュータとのデータ通信を行う第２の通信手段と、を具備する管理コンピュ−タと、
前記第１の通信手段を介して前記管理コンピュ−タに接続され、利用者が所持する情報端末とのデータ授受を行う第３の通信手段を具備し、該情報端末からの清算指示を受信するとともに、該清算指示を前記管理コンピュ−タに送信する接続端末と、から成り、
前記管理コンピュ−タは、前記利用者が所持する情報端末より前記接続端末を介して清算指示を受信した場合には、受信した清算指示が出力された情報端末の識別情報に対応付けて登録されている利用者の取引金融機関における利用者を特定可能な情報或いは利用者の取引金融機関における口座を特定可能な情報とその清算指示に基づく金額情報とを前記決済機関の決済用コンピュータへ送信することを特徴とする料金清算システム。
【請求項２】 
前記接続端末は、利用者の取引金融機関における利用者を特定可能な情報或いは利用者の取引金融機関における口座を特定可能な情報が記録された記録媒体を受付けて該記録媒体に記録されている情報を少なくとも読み出し可能な記録媒体読み取り手段を具備し、
該読み出した利用者の取引金融機関における利用者を特定可能な情報或いは利用者の取引金融機関における口座を特定可能な情報と利用者が所持する情報端末を識別可能な識別情報とを前記管理コンピュ−タに送信することで、該送信情報が前記管理コンピュ−タの前記記憶手段に登録される請求項１に記載の料金清算システム。
【請求項３】
前記利用者が所持する情報端末が固有の電話番号を有し双方向無線通話が可能な通信端末であって、前記情報端末を識別可能な情報として前記電話番号を用いている請求項１または２に記載の料金清算システム。
【請求項４】 
前記第３の通信手段は、非接触状態において利用者が所持する情報端末とデータ授受を可能とする非接触通信手段を有する請求項１〜３のいずれかに記載の料金清算システム。
【請求項５】 
前記非接触通信手段は、前記情報端末が通話において使用する通話用周波数と異なる個別の周波数の電波にて双方向のデータ通信が可能とされている請求項４に記載の料金通知システム。
【請求項６】 
前記接続端末は、利用明細を印刷可能な印刷手段を具備し、前記管理コンピュータからの前記決済機関における決済の完了情報の受信に基づき利用明細を発行する請求項１〜５のいずれかに記載の料金通知システム。
【請求項７】
前記管理コンピュ−タは、利用者が所持する情報端末を識別可能な識別情報に対応付けて該利用者への請求情報を登録可能とされ、該登録された請求情報を前記情報端末へ前記接続端末を介して出力する請求項１〜６のいずれかに記載の料金清算システム。
【請求項８】
少なくとも利用者の所持する情報端末を識別可能な識別情報が登録されたコンピュータとデータ通信可能な接続端末を介してデータ授受可能に接続された前記情報端末を用いて料金の精算を行う料金精算方法であって、
利用者の取引金融機関における利用者を特定可能な情報或いは利用者の取引金融機関における口座を特定可能な情報の少なくとも一方を該利用者が所持する前記情報端末を識別可能な識別情報に対応付けて登録する登録ステップと、
前記情報端末より前記接続端末を介して送信される精算指示を受信する受信ステップと、
受信した精算指示を送信した前記情報端末の識別情報に対応付けて登録されている利用者の取引金融機関における利用者を特定可能な情報或いは利用者の取引金融機関における口座を特定可能な情報の少なくとも一方を前記精算指示に基づく金額情報とともに料金の決済を行う決済機関の決済用コンピュータへ送信する送信ステップと、
を含むことを特徴とする料金精算方法。
【請求項９】
前記登録ステップにおいて、
前記接続端末は、利用者の取引金融機関における利用者を特定可能な情報或いは利用者の取引金融機関における口座を特定可能な情報が記録された記録媒体を受付けて該記録媒体に記録されている情報を少なくとも読み出し可能とされ、
前記受け付けた記録媒体に記録されている利用者の取引金融機関における利用者を特定可能な情報或いは利用者の取引金融機関における口座を特定可能な情報が記録された記録媒体を受付けて該記録媒体に記録されている情報と利用者の所持する情報端末を識別可能な識別情報とを前記管理コンピュータへ出力するようになっている請求項８に記載の料金精算方法。
【請求項１０】
前記利用者が所持する情報端末が固有の電話番号を有し双方向無線通話が可能な通信端末であって、前記情報端末を識別可能な情報として前記電話番号を用いている請求項８または９に記載の料金精算方法。
【請求項１１】
前記情報端末と前記接続端末との間のデータ通信が非接触状態にて実施可能である請求項８〜１０のいずれかに記載の料金精算方法。
【請求項１２】
前記情報端末と前記接続端末との間のデータ通信に使用する周波数が、前記情報端末が通話において使用する通話用周波数と異なるものである請求項１１に記載の料金清算方法。
【請求項１３】
前記利用者の所持する情報端末にて入力された暗証符号を前記決済用コンピュータへ送信する照合用ステップを含む請求項８〜１２のいずれかに記載の料金清算方法。
【請求項１４】
前記決済用コンピュータからの決済完了を前記接続端末に送信する完了ステップを含み、該決済完了の受信に基づいて前記接続端末は利用明細を発行する請求項８〜１３のいずれかに記載の料金清算方法。
【請求項１５】
通知者からの少なくとも請求金額並びに請求者情報とを含む請求情報を前記識別情報に対応付けて登録する請求登録ステップと、
前記接続端末が前記情報端末とデータ通信可能な状態にある際に該接続端末より送信されてくる前記情報端末の識別情報を受信する接続受信ステップと、
該受信した識別情報に対応付けて登録されている前記請求情報を検索抽出する抽出ステップと、
前記請求情報を前記情報端末へ前記接続端末を介して出力する出力ステップと、
を含む請求項８〜１３のいずれかに記載の料金清算方法。
【請求項１６】 
少なくとも利用者向けの請求金額並びに請求者情報とを含む請求情報が、少なくとも利用者の個人情報並びに該利用者が所持する情報端末を識別可能な識別情報とに対応付けて登録された記憶手段と、前記登録されている請求情報を各出力端末に配信する通信手段と、を具備する管理コンピュ−タと、
該管理コンピュ−タより配信される請求情報を少なくとも受信する通信手段と、配信された請求情報を前記情報端末に出力する出力手段と、
を具備する複数の出力端末と、から成り、
前記出力端末は利用者が所持する前記情報端末へのデータ出力が可能である場合において該情報端末の識別情報を入手して前記管理コンピュ−タへ送信し、前記管理コンピュ−タは受信した前記情報端末の識別情報に対応付けて前記記憶手段に登録されている請求情報を、前記識別情報を送信した出力端末に返信し、前記出力端末は該返信された請求情報を前記情報端末に出力することを特徴とする料金通知システム。
【請求項１７】
前記管理コンピュ−タは、前記請求者の請求処理コンピュータとデータ通信接続され、該請求処理コンピュータより送信される被通知者の個人情報と前記請求情報とを含む通知要求情報の受信に基づき、該被通知者の個人情報に該当する請求情報を該個人情報に対応付けて登録する請求項１６に記載の料金通知システム。
【請求項１８】
前記利用者が所持する情報端末が固有の電話番号を有し双方向無線通話が可能な通信端末であって、前記利用者の個人情報と識別情報として前記電話番号を用いている請求項１６または１７に記載の料金通知システム。
【請求項１９】
前記出力手段が、非接触状態において利用者が所持する情報端末とデータ授受を可能とする非接触通信手段を有する請求項１６〜１８のいずれかに記載の料金通知システム。
【請求項２０】
前記非接触通信手段は、前記情報端末が通話において使用する通話用周波数と異なる個別の周波数の電波にて双方向のデータ通信が可能とされている請求項１９に記載の料金通知システム。
【請求項２１】
前記出力端末は、請求情報の出力完了を示す出力完了情報と前記識別情報とを前記管理コンピュータに送信し、該管理コンピュータは、該出力完了情報と前記識別情報とを配信履歴として前記記憶手段に登録するとともに、返信された出力完了情報に対応する請求金額並びに請求者情報とを削除更新する請求項１６〜２０に記載の料金通知システム。
【請求項２２】
料金通知を受ける被通知者が所持する情報端末と、該情報端末とデータ通信可能な出力端末を介してデータ授受可能に接続されたコンピュータを用いて被通知者へ料金通知を行う料金通知方法であって、
通知者からの少なくとも請求金額並びに請求者情報とを含む請求情報を、予めコンピュータに登録されている少なくとも被通知者の個人情報並びに該被通知者が所持する情報端末を識別可能な識別情報とに対応付けて登録する登録ステップと、
前記出力端末が前記情報端末とデータ通信可能な接続状態にある際に該出力端末より送信されてくる前記情報端末の識別情報を受信する受信ステップと、
該受信した識別情報に対応付けて登録されている前記請求情報を検索抽出する抽出ステップと、前記請求情報を前記情報端末へ前記出力端末を介して出力する出力ステップと、
を含むことを特徴とする料金通知方法。
【請求項２３】
前記被通知者が所持する情報端末が、固有の電話番号を有し双方向無線通話が可能な通信端末であって、前記被通知者の個人情報並びに前記識別情報として前記電話番号を用いている請求項２２に記載の料金通知方法。
【請求項２４】
前記情報端末と前記出力端末との間のデータ通信が非接触状態にて実施可能である請求項２２または２３に記載の料金通知方法。
【請求項２５】
前記請求金額並びに請求者情報との出力が完了したことを受信する完了受信ステップと、該出力完了の情報を通知履歴として被通知者を識別可能な情報と対応付けて登録する履歴登録ステップと、を含む請求項２２〜２４のいずれかに記載の料金通知方法。
【請求項２６】
前記通知履歴に登録されて通知済みとなった請求情報の削除を行う削除ステップを含む請求項２５に記載の料金通知方法。
【請求項２７】
前記出力端末は、前記情報端末にいて料金通知の許諾操作がなされたことを条件に前記請求金額並びに請求者情報とを出力する請求項２２〜２６のいずれかに記載の料金通知方法。